(57)【要約】【課題】光合成作用に効果のある赤色発光ダイオードと青色発光ダイオードとを比率良く混合した混合光源部を設けて植物による吸収率をあげ、植物の育成を促す植物育成装置を提供する。【解決手段】赤色ＬＥＤと青色ＬＥＤとによる混合光源により植物を育成するため、土台２に収納した土壌５に種子または苗その他の植物６を着床させると共に全体を覆う透明筒状体３を設け、この透明筒状体３には通気孔７を形成し、透明筒状体３の蓋体４には給水孔８と、この給水孔からの水や成長剤等を透明筒状体内へ撒布するシャワー部９を設け、同時発光する３ｃｄの赤色ＬＥＤ１１と１ｃｄの青色ＬＥＤ１２との多数を約６：４の割合で立設したパネル１３を前記蓋体４の内面に設けて混合光源部１０とし、スイッチ１４、照射時間を設定するタイマー１５及び電源部１６を設けたＬＥＤ光源による植物育成装置１。【特許請求の範囲】
【請求項１】
赤色発光ダイオードと青色発光ダイオードとを用いた混合光源により植物を育成する植物育成装置において、下端部に植物用の土壌を収容した土台を設け、土壌に種子または苗その他の植物を着床させると共に土台を含む全体を覆う透明筒状体を設け、この透明筒状体には植物の呼吸ができる通気孔を形成し、前記透明筒状体の最上端に取付けた蓋体には中央に給水孔を設けると共に蓋体の裏面側には給水孔からの水や成長剤等を撒布するシャワー部を設け、同時発光する３ｃｄの赤色発光ダイオードと１ｃｄの青色発光ダイオードとの多数を約６：４の割合で立設して一体としたパネルを前記蓋体の内面に設けて混合光源部とし、前記土台又は蓋体に前記赤色発光ダイオードと青色発光ダイオードとを同時に点滅するスイッチ、照射時間を設定するタイマー及び電源部を設けたことを特徴とするＬＥＤ光源による植物育成装置。
【請求項２】
３ｃｄ　の赤色発光ダイオードと１ｃｄ　の青色発光ダイオードとを、６４％と３６％の割合にしてマトリックス状に配列したパネルを用いた請求項１記載のＬＥＤ光源による植物育成装置。
【請求項３】
土台を含み全体を覆う透明筒状体が中間部で２重構造とし、摺動と固定を可能として植物とＬＥＤ光源との距離を調節自在とした請求項１記載のＬＥＤ光源による植物育成装置。
【請求項４】
請求項１で育成される植物が、ベゴニア、クロトン、インドゴムノキその他の観葉植物である請求項１記載のＬＥＤ光源による植物育成装置。
【請求項５】
赤色発光ダイオードと　青色発光ダイオードとに加えて緑色発光ダイオードを配分したパネルで混合光源部を設けた請求項１記載のＬＥＤ光源による植物育成装置。
【請求項６】
鉢又は土台に収納した土壌に苗等の植物を着床させると共にこの土壌から垂直状に立設した支柱を設け、この支柱の上端部に土台と対峙し原則円形をした傘カバーを設け、この傘カバーは支柱の取付部側を高く先端に行く程低くした片持ちとし、この傘カバーの内面に３ｃｄの赤色発光ダイオードと１ｃｄの青色発光ダイオードとを約６：４の割合で多数立設して一体としたパネルからなる混合光源部を設け、前記赤色発光ダイオードと青色発光ダイオードとを同時に点滅するスイッチ、照射時間を設定するタイマー及び電源部を前記傘の支柱の取付部側に設けて植物の成長を助成したことを特徴とするＬＥＤ光源による植物育成装置。
【発明の詳細な説明】
【発明の属する技術分野】
本発明は、ＬＥＤ光源による植物育成装置に関するものである。
【従来の技術】
【０００１】
従来からＬＥＤ光源が太陽光の届かない室内や場所等で植物の育成を助成する作用があることは知られている。このようなＬＥＤ光源を利用したものとして、植物育成のための人工光の照射制御方法（特開２００１−４４）が開示されている。
【０００２】
この例は多数のＬＥＤを並列させた人工光の照射手段と、照射手段を制御する制御手段とを用いるものであり、制御手段により人工光の照射時間と照射光量と照射波長とを制御している。
【０００３】
【発明が解決しようとする課題】
しかし、従来植物の育成に用いられる光源としてのＬＥＤでは高輝度の赤色発光ダイオードが主体であり、この赤色発光ダイオードだけでは植物において十分な光合成ができず生育が望めなかった。また上記の公知例ではＬＥＤ光源の照射時間と照射光量と照射波長とを制御するとされているが、特に植物の育成に効果のある光合成作用を助長して太陽光に近い光源とする具体的手段が開示されていない。
【０００４】
本発明の目的は上記のような難点を解消し、光合成作用に効果のあるＬＥＤ光源を実現するため、赤色発光ダイオードと青色発光ダイオードとを比率良く混合し、必要に応じて緑色発光ダイオードを用いて太陽光にできるだけ接近させ植物による吸収率をあげ、水や成長剤溶液を撒布し易くして植物の生育を促し、さらには発光ダイオードの発光による室内装飾効果をも有することのできる植物育成装置を提供するものである。
【０００５】
【課題を解決するための手段】
上記目的を達成するため、第１発明では赤色発光ダイオードと青色発光ダイオードとを用いた混合光源により植物を育成する植物育成装置において、下端部に植物用の土壌を収容した土台を設け、土壌に種子または苗その他の植物を着床させると共に土台を含む全体を覆う透明筒状体を設け、この透明筒状体には植物の呼吸ができる通気孔を形成し、前記透明筒状体の最上端に取付けた蓋体には中央に給水孔を設けると共に蓋体の裏面側には給水孔からの水や成長剤等を撒布するシャワー部を設け、同時発光する３ｃｄの赤色発光ダイオードと１ｃｄの青色発光ダイオードとの多数を約６：４の割合で立設して一体としたパネルを前記蓋体の内面に設けて混合光源部とし、前記土台又は蓋体に前記赤色発光ダイオードと青色発光ダイオードとを同時に点滅するスイッチ、照射時間を設定するタイマー及び電源部を設けたＬＥＤ光源による植物育成装置とした。
【０００６】
第２発明は、３ｃｄの赤色発光ダイオードと１ｃｄの青色発光ダイオードとを、６４％と３６％の割合にしてマトリックス状に配列したパネルを用いたＬＥＤ光源による植物育成装置とした。
【０００７】
第３発明は、土台を含み全体を覆う透明筒状体が中間部で２重構造とし、摺動と固定を可能として植物とＬＥＤ光源との距離を調節自在としたＬＥＤ光源による植物育成装置とした。
【０００８】
第４発明では、植物が、ベゴニア、クロトン、インドゴムノキその他の観葉植物とした。
【０００９】
第５発明は、赤色発光ダイオードと青色発光ダイオードとに加えて緑色発光ダイオードを配分したパネルで混合光源部を設けたＬＥＤ光源による植物育成装置とした。
【００１０】
第６発明は、鉢又は土台に収納した土壌に苗等の植物を着床させると共にこの土壌から垂直状に立設した支柱を設け、この支柱の上端部に土台と対峙し原則円形をした傘カバーを設け、この傘カバーは支柱の取付部側を高く先端に行く程低くした片持ちとし、この傘カバーの内面に３ｃｄの赤色発光ダイオードと１ｃｄの青色発光ダイオードとを約６：４の割合で水平に配設したパネルからなる混合光源部を設け、前記赤色発光ダイオードと青色発光ダイオードとを同時に点滅するスイッチ、照射時間を設定するタイマー及び電源部を前記傘の支柱の取付部側に設けて植物の成長を助成したＬＥＤ光源による植物育成装置とした。
【００１１】
【作用】
第１発明では赤色発光ダイオードと青色発光ダイオードとを用いた混合光源として、同時発光する３ｃｄの赤色発光ダイオードと１ｃｄの青色発光ダイオードとの多数を約６：４の割合で立設し一体としたパネルを前記蓋体の内面に取付けて混合光源部としたので、淡い紫色の色調による太陽光に近い光源を得ることができ、植物による吸収が良く、成長に必要な光合成が効率良く行われるようになった。
【００１２】
土壌を収納した土台から上方へ透明筒状体を設け、植物の種子又は苗その他の植物を土壌に着床させる。透明筒状体には通気孔を設けて植物の呼吸ができるようにし、筒状体の最上端には蓋体を設けて中央に給水孔を設けた。この給水孔にジョウゴを差込み、水や成長剤等を供給し易くしシャワー部により適宜均等に撒布できるようにした。
【００１３】
土台又は蓋体には前記赤色発光ダイオードと青色発光ダイオードとを同時に点滅するスイッチ、照射時間を設定するタイマー及び電源部を設けて照射時間や点滅の制御を可能とした。
【００１４】
蓋体の内面に取付けた赤色発光ダイオードと青色発光ダイオードを多数設けたパネルからの光は、透明筒状体から乱反射されることにより室内での電飾作用もある。
【００１５】
第２発明では、３ｃｄの赤色発光ダイオードと１ｃｄの青色発光ダイオードとを、６４％と３６％の割合にしてマトリックス状に配列したパネルを用いることにより，植物による光の吸収作用がより効率的になった。
【００１６】
第３発明では、土台を含み全体を覆う透明筒状体が中間部で２重構造とし、上方の筒状体が摺動し、適宜の高さで固定することが可能となり、植物の成長に応じて植物とＬＥＤ光源との距離を調節自在としてＬＥＤ光の照射量を調節できるようにした。
【００１７】
第４発明では植物がベゴニア、クロトン、インドゴムノキその他の観葉植物であり、これらの植物に効率良く利用できるようにした。
【００１８】
第５発明では、赤色発光ダイオードと　青色発光ダイオードとに加えて緑色発光ダイオードを用いて配分したパネルで混合光源部を構成することにより、植物による光の吸収をより効率的にして植物の育成を助長できるようになった。
【００１９】
第６発明では、鉢又は土台に収納した土壌に苗等の植物を着床させると共にこの土壌から垂直状に立設した支柱を設け、この支柱の上端部に土台と対峙し原則円形をした傘カバーを設けたので効率良く照射でき、また空間部を利用して水や成長剤を供給できる。
【００２０】
傘カバーは支柱の取付部側を高く先端に行く程低くした片持ちとして安定している。この傘カバーの内面に３ｃｄの赤色発光ダイオードと１ｃｄの青色発光ダイオードとを約６：４の割合で多数立設し一体としたパネルからなる混合光源部を設けて植物に照射できるようにした。
【００２１】
前記傘カバーの支柱の取付部側に赤色発光ダイオードと青色発光ダイオードとを同時に点滅するスイッチ、照射時間を設定するタイマー及び電源部を設けて照射量を調節でき植物の成長を助成するようにした。
【００２２】
【発明の実施の形態】
本発明は赤色発光ダイオードと青色発光ダイオードとを用いた混合光源により植物を育成する植物育成装置を具体化したもので、土台に収容した土壌に種子または苗その他の植物を着床させると共に土台を含む全体を覆い通気孔を有する透明筒状体を設け、この筒状体の最上端に蓋体を取付けてコンパクトな装置とした。
【００２３】
透明な筒状体には通気孔を形成し、蓋体内方のシャワー部から水又は成長剤を投入できるようにし、蓋体裏面に同時発光する３ｃｄの赤色発光ダイオードと１ｃｄの青色発光ダイオードとの多数を約６：４の割合で立設したパネルを設けて混合光源部とした。
【００２４】
この混合光源部からの光は淡い紫色となって植物に対して太陽光に近く、吸収し易い波長であるので光合成が効率良く行われるようになっている。
【００２５】
【実施例】
以下、図面に示した実施例を説明する。図１において、１は植物育成装置であり、土台２、透明筒状体３、蓋体４とからなる。
【００２６】
土台２には土壌５を収容し、種子または苗その他の植物６を着床させる。透明筒状体３には植物の呼吸ができるように通気孔７が形成されている。
【００２７】
図１及び図２の拡大図に示すように蓋体４の中央には給水管ジョウゴ等から給水できる給水孔８を設けると共に蓋体４の裏面側にはジョウゴ（図示せず）からの水や成長剤等を撒布するシャワー部９を設けて水分や成長剤等の供給が容易にできるようにした。
【００２８】
図２において、１０は混合光源部であり、同時発光する３ｃｄの赤色発光ダイオード１１と１ｃｄの青色発光ダイオード１２との多数を約６：４の割合で立設したパネル１３とからなっている。
【００２９】
図３に示したのは黒丸を３ｃｄの赤色発光ダイオード１１とし、白丸を１ｃｄの青色発光ダイオード１２とし、黒丸を６４％白丸を３６％に配分した例を示している。
【００３０】
図１の土台２の下方に示した符号１４はスイッチ、１５はタイマー、１６は電源部を表している。これらは、土台２の下方ではなく，蓋体に設ける場合もある。
【００３１】
図４は透明筒状体３をＡ部とＢ部に分割して摺動と固定を選択でき、高さを調節できるようにした。植物の成長に応じて高さを調節することにより通気性及び混合光源による照射量を適宜調整するようにした。
【００３２】
図５は別の実施例を示すもので、１７は土壌を収容した鉢、１８は土壌に支持された支柱、１９は片持ちの傘カバーで、取付部側を高く、先端に行くほど低くしたフードの形態をしている。傘カバー１９の内面には３ｃｄの赤色発光ダイオードと１ｃｄの青色発光ダイオードとを約６：４の割合で多数立設し一体としたパネル１３からなる混合光源部を設けた。図６はパネルの拡大図を示す。植物６としては例えばベゴニア、クロトン、インドゴムノキその他の観葉植物を用いることができる。
【００３３】
【発明の効果】
本発明では、光合成作用に効果のあるＬＥＤ光源を有効利用するため、３ｃｄ赤色発光ダイオードと１ｃｄ青色発光ダイオードとを比率良く混合し、必要に応じて緑色発光ダイオードを用いて太陽光にできるだけ接近させて光合成に必要な光を植物に吸収させると共に水や成長剤溶液を撒布し易くして植物の生育を促し、さらには発光ダイオードの発光による室内装飾効果をも有することのできる植物育成装置を提供することができた。
【図面の簡単な説明】
【図１】本発明植物育成装置の１実施例を示す斜視図
【図２】蓋体の内部でＬＥＤを多数立設した混合光源部を示す拡大説明図
【図３】混合光源部の平面を示す拡大説明図
【図４】他実施例を示す植物育成装置の斜視図
【図５】さらに他実施例を示す植物育成装置の斜視図
【図６】混合光源部の平面を示す他実施例の拡大説明図
【符号の説明】
１：　植物育成装置
２：　土台
３：　透明筒状体
４：　蓋体
５：　土壌
６：　植物
７：　通気孔
８：　給水孔
９：　シャワー部
１０：　混合光源部
１１：　３ｃｄの赤色発光ダイオード
１２：　１ｃｄの青色発光ダイオード
１３：　パネル
１４：　スイッチ
１５：　タイマー
１６：　電源部
１７：　鉢
１８：　支柱
１９：　傘カバー
２０：　植物
【図１】
2004113160.tif 000002
【図２】
2004113160.tif 000003
【図３】
2004113160.tif 000004
【図４】
2004113160.tif 000005
【図５】
2004113160.tif 000006
【図６】
2004113160.tif 000007